(57)【要約】【課題】煩雑な作業を伴わずに、使用環境に応じてロープの巻き取り速度を高めることが可能な着脱式ワーピングドラムを提供する。【解決手段】着脱式ワーピングドラム６は、複数の分割ドラムユニット７で構成される。分割ドラムユニットは、中心に孔が形成された平板円形状の板部材を周方向に複数分割して形成された一対の側板８と、一対の側板の間に複数配置され、一端側が一方の側板に固定され、他端側が他方の側板に固定され、対向方向の中央に位置する底面部９ａ、および、底面部から一端側および他端側へ向かって側板の外周側に湾曲する湾曲部９ｃを有する分割板部材９とで構成される。隣接する分割ドラムユニットは、側板の周方向両端部のフランジ部１５において、ボルト１４とナット１８により連結され、既設のワーピングドラム４に固定される。【選択図】図２
2014181097.tif 000002
【特許請求の範囲】
【請求項１】
中心に孔が形成された平板円形状の板部材を周方向に複数分割して形成される一対の側板と、
互いに対向配置される前記一対の側板の間に、該側板の周方向に沿って複数配されるとともに、該一対の側板の対向方向の一端側が一方の側板に固定され、他端側が他方の側板に固定され、該対向方向の中央に位置する底面部、および、該底面部から該一端側および他端側へ向かって該側板の外周側に湾曲する湾曲部を有する複数の分割板部材と、
を備える複数の分割ドラムユニットと、
前記側板の周方向に連接して配される前記複数の分割ドラムユニットを締結する固定部材と、
を備え、
取り付け対象となるドラムの外周面に前記側板の内周縁を接触させた状態で、該ドラムの周方向に連接して配置される前記複数の分割ドラムユニットを前記固定部材で締結させると、該固定部材の締結力によって、前記側板の内周縁が該ドラムの外周面に押圧され、該分割ドラムユニットが該ドラムに固定されることを特徴とする着脱式ワーピングドラム。
【請求項２】
前記一対の側板の周方向両端部にはフランジ部が設けられ、
前記固定部材は、前記周方向に隣接して配される分割ドラムユニットのフランジ部を締結するボルトで構成されていることを特徴とする請求項１記載の着脱式ワーピングドラム。
【請求項３】
前記分割板部材の底面部は、前記側板の内周縁よりも径方向外方に位置していることを特徴とする請求項１または２記載の着脱式ワーピングドラム。
【請求項４】
前記分割ドラムユニットは、
前記一対の側板間に架け渡される補強リブを備えていることを特徴とする請求項１〜３のいずれか１項に記載の着脱式ワーピングドラム。
【請求項５】
前記補強リブは、
前記分割板部材の底面部から前記側板の内周縁側に向かって延在することを特徴とする請求項４記載の着脱式ワーピングドラム。
【発明の詳細な説明】
【技術分野】
【０００１】
本発明は、船舶等に搭載され、主に係船用のロープが巻き回される既設のワーピングドラムに着脱可能な着脱式ワーピングドラムに関する。
【背景技術】
【０００２】
船舶が岸壁に接岸する際、船舶の甲板に設置されたムアリングウインチ（係船機）やウインドラス（揚錨機）等のウインチが係船用ロープの繰り入れと繰り出しを行うことで、船舶が岸壁に近づく。
【０００３】
ムアリングウインチは、係船用のロープの繰り入れと繰り出しをするためのホーサードラムやワーピングドラムを回転させる駆動モーターを備えている（特許文献１参照）。またウインドラスは、アンカーに連結されたチェーンの繰り入れと繰り出しをするためのチェーンドラムと、チェーンドラムを回転させる駆動モーターとを備え、更にホーサードラムとワーピングドラムとを備えたものもある（特許文献２参照）。
【０００４】
これらのウインチは、係船用のロープ（ホーサー）に連結された補助ロープ（メッセンジャーロープ）をワーピングドラムに数回巻き回した状態でモーターを駆動し、ワーピングドラムと補助ロープとの間の摩擦力を利用して係船用のロープを手繰り寄せるものである。
【先行技術文献】
【特許文献】
【０００５】
【特許文献１】特開２００６−２１３５１５号公報
【特許文献２】特開２０１１−１０５４４９号公報
【発明の概要】
【発明が解決しようとする課題】
【０００６】
使用環境等に応じて、補助ロープの巻き取り速度を定格時よりも速めたい場合がある。補助ロープの巻き取り速度を増加させるためには、既設のワーピングドラムより径の大きなワーピングドラムに交換し、ワーピングドラムの周速を速くすることが考えられる。しかしながら、ワーピングドラムは重量が大きいため、使用環境に応じて異なる径のワーピングドラムに交換するとなると、煩雑な交換作業を行わなければならないという課題がある。
【０００７】
そこで、本発明の目的は、煩雑な作業を伴わずに、使用環境に応じてロープの巻き取り速度を高めることが可能な着脱式ワーピングドラムを提供することである。
【課題を解決するための手段】
【０００８】
中心に孔が形成された平板円形状の板部材を周方向に複数分割して形成される一対の側板と、互いに対向配置される一対の側板の間に、側板の周方向に沿って複数配されるとともに、一対の側板の対向方向の一端側が一方の側板に固定され、他端側が他方の側板に固定され、対向方向の中央に位置する底面部、および、底面部から一端側および他端側へ向かって側板の外周側に湾曲する湾曲部を有する複数の分割板部材と、を備える複数の分割ドラムユニットと、側板の周方向に連接して配される複数の分割ドラムユニットを締結する固定部材と、を備え、取り付け対象となるドラムの外周面に側板の内周縁を接触させた状態で、ドラムの周方向に連接して配置される複数の分割ドラムユニットを固定部材で締結させると、固定部材の締結力によって、側板の内周縁がドラムの外周面に押圧され、分割ドラムユニットがドラムに固定されることを特徴とする。
【０００９】
また、一対の側板の周方向両端部にはフランジ部が設けられ、固定部材は、周方向に隣接して配される分割ドラムユニットのフランジ部を締結するボルトで構成されているとよい。
【００１０】
また、分割板部材の底面部は、側板の内周縁よりも径方向外方に位置しているとよい。
【００１１】
また、分割ドラムユニットは、一対の側板間に架け渡される補強リブを備えているとよい。
【００１２】
また、補強リブは、分割板部材の底面部から側板の内周縁側に向かって延在するとよい。
【発明の効果】
【００１３】
本発明によれば、煩雑な作業を伴わずに、使用環境に応じてロープの巻き取り速度を高めることが可能となる。
【図面の簡単な説明】
【００１４】
【図１】ウインドラスの概略的な構成を説明する図である。
【図２】着脱式ワーピングドラムの構成を説明する図である。
【図３】分割板部材の斜視図である。
【図４】分割ドラムユニットの斜視図である。
【図５】分割ドラムユニットの連結構造を説明する図である。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
図１は、ウインドラス１の概略的な構成を説明する図である。本実施形態では、係船用ロープの繰り入れと繰り出しを行うウインチとしてウインドラス１を挙げて説明する。ウインドラス１は、アンカーに連結されたチェーンの繰り入れと繰り出しをするためのチェーンドラム２と、係船用のロープ（ホーサー）の繰り入れと繰り出しをするためのホーサードラム３と、係船用のロープを手繰り寄せて巻き揚げるためのワーピングドラム４と、これらのドラムを回転駆動するための駆動モーター５とを備えている。
【００１７】
係船用のロープ（ホーサー）を手繰り寄せる際には、まず、ロープに補助ロープ（メッセンジャーロープ）を連結させ、この補助ロープをワーピングドラム４に数回巻き回した状態で、ワーピングドラム４を駆動モーター５により回転駆動させる。このようにしてロープを手繰り寄せた後に、ロープを、ワーピングドラム４ではなく、ホーサードラム３に巻き回し、再び駆動モーター５を駆動して、ロープを巻き取っていく。
【００１８】
このように、補助ロープの巻き取り速度は、駆動モーター５の回転速度と、ワーピングドラム４の径によって決まるが、使用環境等に応じて、補助ロープの巻き取り速度を定格時より速めたい場合がある。本実施形態においては、既設のワーピングドラム４に着脱式ワーピングドラム６を取り付け、補助ロープを巻き回す部位のドラム径を大きくすることで、補助ロープの巻き取り速度を増加させる。以下に、着脱式ワーピングドラム６の構成について説明する。
【００１９】
図２は、本実施形態における着脱式ワーピングドラム６の構成を説明する図であり、図２（ａ）は側面図、図２（ｂ）は平面図を示している。図２に示すように、着脱式ワーピングドラム６は、複数（本実施形態では３個）の分割ドラムユニット７から構成されている。この分割ドラムユニット７は、一対の側板８と、一対の側板８の間に複数配置される分割板部材９とから形成されている。
【００２０】
側板８は、図２（ｂ）に示すように、中心に孔が形成された平板円形状の板部材を周方向に複数分割して形成されている（本実施形態では３枚に分割）。以下の説明において、径方向とは、複数の側板８を円形に配置したときの円の径方向をいうものであり、側板８の内円弧から外円弧までの長さ方向を示す。また、周方向とは、複数の側板８を円形に配置したときの円の周方向に相当する方向をいうものである。平板円形状の板部材の中心の孔の曲率は、既設のワーピングドラム４の曲率よりも僅かに小さく、側板８はその内円弧８ａが、図２（ａ）に示すようにワーピングドラム４の外周に密着する寸法関係を維持している。また、図２（ｂ）に示すように、軽量化を実現するため、側板８には複数の肉抜孔１０が形成されている。本実施形態では、１つの側板８に、円形の肉抜孔１０が側板８の周方向に等間隔に３個または４個形成されている。
【００２１】
図３は、分割板部材９の斜視図である。分割板部材９は、方形の板部材で構成され、平面状の底面部９ａと、この底面部９ａから対向する一対の端部９ｂに向かって同一方向に湾曲して形成された２つの湾曲部９ｃとを有している。この分割板部材９には、一対の端部９ｂ間に架け渡されて延在する補強リブ１１が溶接されている。補強リブ１１は、方形の板部材の一辺が分割板部材９の底面部９ａおよび湾曲部９ｃに密着するように切断された湾曲辺１２を有し、この湾曲辺１２を分割板部材９の中央部に密着させて溶接される。
【００２２】
図４は、分割ドラムユニット７の斜視図を示している。分割ドラムユニット７は、同形の２枚の側板８が互いに対向配置され、これら一対の側板８の間に、分割板部材９が側板８の円弧に沿って複数（本実施形態では５個）連続して配置されている。分割板部材９は、一対の側板８の対向方向の一端側に位置する一方の端部９ｂが、一方の側板８に溶接により固定され、他方の端部９ｂが、他方の側板８に溶接により固定される。したがって、分割ドラムユニット７は、一対の側板８の対向方向の中央に底面部９ａが位置するとともに、この底面部９ａから側板８に向かうにしたがって、湾曲部９ｃが側板８の外円弧側に湾曲することとなる（図２参照）。
【００２３】
このとき、図４に示すように、分割板部材９は、底面部９ａが、側板８の径方向の中央位置よりも、外円弧側に位置するように側板８に固定されている。そして、分割板部材９が一対の側板８の間に固定された状態では、補強リブ１１の対向する両辺１３も、それぞれ側板８に溶接固定される。これにより、補強リブ１１は、一対の側板８間に架け渡されるとともに、分割板部材９の底面部９ａから側板８の内円弧８ａ側に向かって延在し、分割ドラムユニット７における一対の側板８の対向方向の強度を補うこととなる。
【００２４】
図５は、側板８の周方向両端部を拡大し、分割ドラムユニット７の連結構造を説明する図である。着脱式ワーピングドラム６は、上記の分割ドラムユニット７を複数連結して構成されるが、本実施形態では、分割ドラムユニット７を連結する固定部材として、ボルト１４およびナット１８が用いられる。ボルト１４およびナット１８によって２つの分割ドラムユニット７を連結するため、側板８にはフランジ部１５が設けられている。フランジ部１５は、側板８の周方向両端部から、分割板部材９が位置する側とは反対側に垂直に起立して設けられ、ボルト１４が挿通される取り付け穴１６が形成されている（本実施形態では２個）。また、フランジ部１５と側板８との間には、フランジ部１５の取り付け強度を向上するための三角リブ１７が設けられている（本実施形態では２個）。
【００２５】
次に、分割ドラムユニット７の連結方法を具体的に説明する。図２に示すように、既設のワーピングドラム４の外周面に、側板８の内円弧８ａを接触させた状態で、分割ドラムユニット７を既設のワーピングドラム４の周方向に複数（本実施形態では３個）連接して連結する。ワーピングドラム４の周方向に隣接する分割ドラムユニット７は、フランジ部１５に形成された取り付け穴１６にボルト１４を挿通し、ナット１８で締め付けることで締結される。ボルト１４とナット１８の締結力によって、側板８の内円弧８ａが既設のワーピングドラム４の外周面に押圧され、図２（ａ）に示すように、分割ドラムユニット７が既設のワーピングドラム４に固定される。
【００２６】
図４に示すように、分割板部材９の底面部９ａは側板８の内円弧８ａよりも径方向外方に固定されることで、着脱式ワーピングドラム６のドラム径は既設のワーピングドラム４のドラム径より大きくなる。したがって着脱式ワーピングドラム６の周速を既設のワーピングドラム４の周速よりも増加させることができ、補助ロープの巻き取り速度の高速化を図ることが可能になる。
【００２７】
通常、ワーピングドラムは鋳造により製造されるが、本実施形態によれば、側板８と分割板部材９が別個の部材で構成され、それぞれが溶接されて分割ドラムユニット７が製造される。このため分割板部材９に湾曲部９ｃを形成することが容易であり、湾曲部９ｃによって、補助ロープを損傷させることなく巻き取ることができ、かつ、鋳物よりも軽量化を図ることが可能になる。このように、着脱式ワーピングドラム６が分割して構成され、しかも、軽量化が図られていることから、補助ロープの巻き取り速度を高速化するために必要な作業を簡素化することができる。
【００２８】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【産業上の利用可能性】
【００２９】
本発明は、主に船舶等に設置される係船装置に設けられるワーピングドラムに利用することができる。
【符号の説明】
【００３０】
１  …ウインドラス
２  …チェーンドラム
３  …ホーサードラム
４  …ワーピングドラム
５  …駆動モーター
６  …着脱式ワーピングドラム
７  …分割ドラムユニット
８  …側板
９  …分割板部材
９ａ…底面部
９ｂ…端部
９ｃ…湾曲部
１０…肉抜孔
１１…補強リブ
１２…湾曲辺
１３…両辺
１４…ボルト
１５…フランジ部
１６…取り付け穴
１７…三角リブ
１８…ナット
【図１】
2014181097.tif 000003
【図２】
2014181097.tif 000004
【図３】
2014181097.tif 000005
【図４】
2014181097.tif 000006
【図５】
2014181097.tif 000007